(57)【要約】【課題】眼鏡店等で顧客の購入した眼鏡を、顧客の顔に掛けてバランス（掛り具合）調整をするときに、テンプルを曲げて調整しなくても簡単に鼻や耳に対するレンズ側とモダン側とのバランスを調整することができる眼鏡枠のモダンを提供することにある。【解決手段】モダン本体２と、モダン後部５と、錘部材４とからなり、かつ上記のモダン本体２の後端部２ｃとモダン後部５の先端部５ａには互いに着脱できる係止部３，１１が設けてあり、上記の互いの係止部３，１１を介して、錘部材４をモダン後部５とともにモダン本体２の後端部２ｃに取り付けるようにした。【選択図】  図１
0003112016.tif 000002
【実用新案登録請求の範囲】
【請求項１】
モダン本体と、モダン後部と、錘部材とからなり、かつ上記のモダン本体の後端部とモダン後部の先端部には互いに着脱できる係止部が設けてあり、上記の互いの係止部を介して、錘部材をモダン後部とともにモダン本体の後端部に取り付けできるようにしたことを特徴とする眼鏡枠のモダン。
【請求項２】
上記の錘部材は、重さの異なる複数の錘部材からなり、上記の複数の錘部材から所望の重さの錘部材を選択して、モダン後部とともに選択した錘部材をモダン本体の後端部に取り付けるようにしたことを特徴とする請求項１記載の眼鏡枠のモダン。
【請求項３】
モダン本体と、モダン後部とからなり、上記のモダン本体の後端部とモダン後部の先端部には互いに着脱できる係止部が設けてあり、上記の互いの係止部を介してモダン本体の後端部にモダン後部を取り付けるようにしたことを特徴とする眼鏡枠のモダン。
【請求項４】
上記のモダン後部は、重さの異なる複数のモダン後部からなり、上記の複数のモダン後部から所望の重さのモダン後部を選択して、この選択したモダン後部をモダン本体の後端部に取り付けるようにしたことを特徴とする請求項３記載の眼鏡枠のモダン。
【考案の詳細な説明】
【技術分野】
【０００１】
本考案は、眼鏡枠を構成するテンプルに取り付けられているモダン（眼鏡枠の耳掛け部）に関するものである。
【背景技術】
【０００２】
一般に眼鏡店では軽くてデザイン性を重視した各種の眼鏡枠を陳列して販売している。また、眼鏡店において、顧客の視力に合わせたレンズの度数が上がれば上がるほど普通のレンズでは重くなるため、眼鏡枠の鼻に掛かるレンズ側と、耳に掛かる後部のモダン側とのバランスにズレが生じ、顧客の顔に眼鏡を掛けてバランス調整をしている時に顧客から鼻側に重く感じると言われることが多々ある。
【０００３】
すなわち、眼鏡店においては、検眼後に顧客の目に合ったレンズを選定し、顧客が選択した眼鏡枠に上記のレンズをはめ込んだ後に、顧客の顔にその眼鏡を掛け、眼鏡枠の両テンプルによる顔の両側への当たり具合や、鼻や耳への眼鏡枠の掛かり具合等を訊ね、上記したように顧客から鼻側に重く感じると言われた場合、テンプルを適宜曲げたり、鼻に掛かるパッドを換えたりして、顧客が納得するように眼鏡枠のバランスや掛かり具合等の調整を行なっている。
【考案の開示】
【考案が解決しようとする課題】
【０００４】
しかしながら、テンプルを曲げて眼鏡枠のバランスや掛かり具合等を調整することは熟練者でないとなかなか調整が難しく、また上記のバランスや掛かり具合等が上手く調整できるまで何回となくテンプルを曲げて調整することは手間もかかり、またテンプルを損ねるといった懸念があった。
【０００５】
本考案は上記のような点に鑑みて開発されたものであり、その目的とするところは、眼鏡店等で顧客の購入した眼鏡を顧客の顔に掛けてバランス（掛り具合）調整をするときに、テンプルを曲げて調整しなくても簡単に鼻や耳に対するレンズ側とモダン側とのバランスを調整することができる眼鏡枠のモダンを提供することにある。
【課題を解決するための手段】
【０００６】
上記のような目的を有効に達成するために、本考案はつぎのような構成にしてある。すなわち、請求項１記載の本考案の眼鏡枠のモダンは、モダン本体と、モダン後部と、錘部材とからなり、かつ上記のモダン本体の後端部とモダン後部の先端部には互いに着脱できる係止部が設けてあり、上記の互いの係止部を介して、錘部材をモダン後部とともにモダン本体の後端部に取り付けできるようにしたことを特徴とする構成にしてある。
【０００７】
また、請求項２記載の本考案の眼鏡枠のモダンは、請求項１記載の眼鏡枠のモダンの構成において、上記の錘部材は、重さの異なる複数の錘部材からなり、上記の複数の錘部材から所望の重さの錘部材を選択して、モダン後部とともに選択した錘部材をモダン本体の後端部に取り付けるようにした構成にしてある。
【０００８】
また、請求項３記載の本考案の眼鏡枠のモダンは、モダン本体と、モダン後部とからなり、上記のモダン本体の後端部とモダン後部の先端部には互いに着脱できる係止部が設けてあり、上記の互いの係止部を介してモダン本体の後端部にモダン後部を取り付けるようにした構成にしてある。
【０００９】
また、請求項４記載の本考案の眼鏡枠のモダンは、請求項３記載の眼鏡枠のモダンの構成において、上記のモダン後部は、重さの異なる複数のモダン後部からなり、上記の複数のモダン後部から所望の重さのモダン後部を選択して、この選択したモダン後部をモダン本体の後端部に取り付けるようにしたことを特徴とする構成にしてある。
【考案の効果】
【００１０】
本考案にかかるモダン本体とモダン後部と錘部材とからなるモダンにあっては、所望の重さの錘部材、或いは重さの異なる複数の錘部材から選定した錘部材を使用するだけで、調整中の眼鏡のレンズ側（鼻側）とモダン側（耳側）との鼻と耳にかかるバランス調整を従来のようにテンプルを屈曲させて調整することなく簡単に、かつ高度な調整技術を必要とすることなく調整することができる。またテンプルも従来のように繰り返し屈曲させることもないので損なわれることがない。また、このモダンを備えた眼鏡の使用者は、錘部材でバランス調整した眼鏡の使用によって、よりバランスのとれた眼鏡を掛けることができて軽く感じる。さらに、よりバランスのとれた眼鏡を提供できるので、使用中に鼻から下に眼鏡がずれることもない。
【００１１】
また、本考案にかかるモダン本体とモダン後部とからなるモダンにあっては、上記と同様に、調整中の眼鏡のレンズ側（鼻側）とモダン1側（耳側）との鼻と耳にかかるバランス調整を、所定の重さのモダン後部、或いは重さの異なるモダン後部から選定したモダン後部を使用するだけで、従来のようにテンプルを屈曲させたりして調整することなく簡単に、かつ高度な調整技術を要求されることなく調整することができる。またテンプルは、従来のように屈曲の繰り返し調整によって損なわれるといったこともない。
【考案を実施するための最良の形態】
【００１２】
以下、本考案を実施するための最良の形態を図に基いて説明する。
図１〜図５は本考案にかかる眼鏡枠のモダンに関する図であって、図１〜図３に示す例の眼鏡枠のモダン１は、モダン本体２と、係止部材３と、錘部材４と、モダン後部５とによって構成されている。
【００１３】
モダン本体２は、プラスチック樹脂によって細長く形成されていて、先端部２ａ側からテンプル６が差し込まれている。モダン本体２の後端２ｂは平坦に形成してあり、かつモダン本体２の後端部２ｃである後端２ｂから内側に、係止部材３（係止部）を嵌着する嵌合凹部７が形成してある。嵌合凹部７は、奥側に幅広凹部７ａを有している。
【００１４】
上記の嵌合凹部７に嵌着する係止部材３は、モダン本体２の後端部２ｃ内に収納できるように、プラスチック樹脂によって幅の狭い略直方体形状に形成され、かつ先端側に上記の幅広凹部７ａに係止する鍔部８を形成するとともに、中央に雌ネジ９を形成したものである。
【００１５】
錘部材４は、所定の重さを有する金属製またはプラスチック樹脂製のものであって、中央に貫通孔１０を形成してあり、係止部材３と鍔部８以外の横断面と同一の直方体形状のものである。さらにこの錘部材４は、モダン本体２の嵌合凹部７に嵌着した係止部材３の後端３ａからモダン本体２の後端２ｂまでの隙間内に収納される大きさに形成してある。錘部材４は、所定の重さのもの、或いは段階的に僅かに重さの異なる複数のものを揃えておく。
【００１６】
モダン後部５は、プラスチック樹脂製のものであって、先端部５ａを平坦にし後部５ｂを円く形成した半楕円形状であり、先端部５ａの中央に、上記錘部材４の貫通孔１０に挿入して、モダン本体２に設けられた係止部材３の雌ネジ９にネジ付けできる雄ネジ軸１１を有している。このモダン後部５は、モダン本体２に取り付けた際に、モダン本体２の後端２ｂに先端部５ａを密着するとともに、先端部５ａ寄りの外周面１２がモダン本体２の後端部２ｃの外周面１３と面一になるように形成してある。
【００１７】
上記のような構成からなるモダン１のモダン本体２をテンプル６に設けた眼鏡枠にあっては、眼鏡店において、顧客の目に合った度数のレンズを眼鏡枠に装着した後に、眼鏡枠の前部のパッドの部分を顧客の鼻に掛けるとともに、モダン本体２と錘部材４およびモダン後部５からなる上記したモダン１を耳に掛ける。
【００１８】
そして、顧客に眼鏡を掛けた時の鼻と耳に掛かる負荷の状態（眼鏡の掛け具合）を聞き、レンズ側（鼻側）が重く感じるようであれば、一旦眼鏡を外し、モダン本体２から錘部材４とモダン後部５を外し、他の重さの錘部材４と交換して、この錘部材４をモダン本体２にモダン後部５によって取り付ける。錘部材４を交換して眼鏡のレンズ側（鼻側）とモダン1側（耳側）との重さバランスを変更したら、再びこの眼鏡を顧客の顔に掛けて上記した眼鏡の掛け具合を聞く。この交換した錘部材４の重さでレンズ側（鼻側）とモダン1側（耳側）とのバランスがよければ、眼鏡のバランス調整を完了して眼鏡を顧客に渡せばよい。また、まだバランスが悪ければ、再び他の重さの錘部材４に交換してバランス良くなるまで錘部材４に交換を繰り返せばよい。
【００１９】
このように上記した本考案にかかるモダン１によれば、バランス調整に最適な重さの錘部材４を選定してバランス調整すれば、眼鏡枠のテンプルを屈曲させたりしてバランス調整することなく、また高度な調整技術を要求されることもない。またテンプルは、繰り返し折り曲げ調整によって損なわれるといったこともない。
【００２０】
次に図４、図５は本考案にかかる他の例のモダン１を示す。なお、図中符合は便宜上、上記した例と同じ符合を使用する。この例におけるモダン１は、モダン本体２と、所定の重さのモダン後部５、または重さの異なる複数のモダン後部５（図は１つだけ示す。）とからなる。
【００２１】
このモダン本体２は、先の例と同様にプラスチック樹脂によって細長く形成され、先端部２ａ側から眼鏡枠のテンプル６が差し込まれて、このテンプル６に取り付けられる。モダン本体２の後端２ｂは平坦に形成してあり、かつモダン本体２の後端部２ｃである後端２ｂから内側に、モダン後部５の係止突起１４（係止部）を着脱可能に係止するフック状の２つの係止孔１５（係止部）が所定間隔をもって形成してある。
【００２２】
モダン後部５は、プラスチック樹脂によって形成したもの、或いは内部に金属片（図示せず）を設けて全体を樹脂成形したものであって、先端部５ａを平坦にし後部５ｂを円く形成してあり、先端部５ａ側に、モダン本体２の係止孔１５に着脱可能に係止する２つの係止突起１４を有している。
【００２３】
上記のような構成からなるモダン１のモダン本体２を、テンプル６の後部に設けた眼鏡枠にあっては、先の例と同様に眼鏡店において、顧客の目に合った度数のレンズを眼鏡枠に装着した後に、眼鏡枠の前部のパッドの部分を顧客の鼻に掛けるとともに、モダン本体２とモダン後部５からなる上記したモダン１を耳に引っ掛ける。
【００２４】
そして、上記した説明と同じように顧客に、眼鏡を掛けた時の鼻と耳に掛かる負荷の状態（眼鏡の掛け具合）を聞き、レンズ側（鼻側）が重く感じるようであれば、一旦眼鏡を外し、モダン本体２からモダン後部５を外し、他の重さのモダン後部５と交換して、このモダン後部５をモダン本体２に取り付ける。モダン後部５を交換して眼鏡のレンズ側（鼻側）とモダン1側（耳側）との重さバランスを変更したら、再びこの眼鏡を顧客の顔に掛けて上記した眼鏡の掛け具合を聞く。この交換したモダン後部５の重さでレンズ側（鼻側）とモダン1側（耳側）とのバランスがよければ、この眼鏡のバランス調整を完了して眼鏡を顧客に渡せばよい。もし、まだバランスが悪ければ、再び他の重さのモダン後部５に交換してバランス良くなるまで、モダン後部５を交換すればよい。
【００２５】
この例の本考案にかかるモダン１でも、眼鏡枠のテンプルを屈曲させて調整することなく、重さの異なるモダン後部５を交換するだけで、レンズ側（鼻側）とモダン1側（耳側）とでバランスを調整することができ、高度な調整技術を要求されることもなく、またテンプルを屈曲の繰り返しによって損なうこともない。
【図面の簡単な説明】
【００２６】
【図１】本考案にかかる一例のモダンの分解した正面図である。
【図２】本考案にかかる一例のモダンの正面図である。
【図３】本考案にかかるモダンの要部の説明図である。
【図４】本考案にかかる別の例のモダンの分解した正面図である。
【図５】本考案にかかる別の例のモダンの正面図である。
【００２７】
１    眼鏡枠のモダン
２    モダン本体
２ａ  モダン後部の先端部
２ｃ  モダン本体の後端部
３    係止部材（係止部）
４    錘部材
５    モダン後部
５ａ  モダン後部の先端部
１１  雄ネジ軸（係止部）
１４  係止突起（係止部）
１５  係止孔（係止部）
【図１】
0003112016.tif 000003
【図２】
0003112016.tif 000004
【図３】
0003112016.tif 000005
【図４】
0003112016.tif 000006
【図５】
0003112016.tif 000007